(57)【要約】【課題】ユーザに有効な情報を効率よく提供できる撮影装置を提供する。【解決手段】モニタ３２の一部に設定された画像表示領域にスルー画像が表示され、その余白領域に撮影済み画像の撮影情報等が表示される。これにより、スルー画像が隠蔽されることなく、撮影済みの画像の撮影情報等を参照することができる。【選択図】      図４
2005260798.tif 000002
【特許請求の範囲】
【請求項１】
撮影指示に応じて被写体像を撮像手段で撮像し、得られた画像を記憶メディアに記録する撮影装置であって、前記撮像手段からリアルタイムに得られる画像を装置本体に備えられたモニタにスルー画像として表示可能な撮影装置において、
前記モニタの一部に設定された画像表示領域に前記スルー画像を表示させるとともに、その余白領域に前記記憶メディアに記録されている少なくとも１つの画像の撮影情報を表示させる表示制御手段と、
を備えたことを特徴とする撮影装置。
【請求項２】
前記表示制御手段は、前記余白領域に前記記憶メディアに記録されている少なくとも１つの画像と、その画像の撮影情報とを併せて表示させることを特徴とする請求項１に記載の撮影装置。
【請求項３】
前記スルー画像のアスペクト比と、前記モニタのアスペクト比とが異なり、前記画像表示領域は、前記スルー画像が前記モニタに最も大きく表示されるように設定されることを特徴とする請求項１又は２に記載の撮影装置。
【請求項４】
前記スルー画像のアスペクト比を前記モニタのアスペクト比と異なるアスペクト比に切り替えるアスペクト比切替手段を備え、前記表示制御手段は、前記アスペクト比切替手段によって、前記スルー画像のアスペクト比が、前記モニタのアスペクト比と異なるアスペクト比に切り替えられると、前記画像表示領域にスルー画像を表示させるとともに、前記余白領域に前記記憶メディアに記録されている少なくとも１つの画像の撮影情報、又は、前記記憶メディアに記録されている少なくとも１つの画像と、その画像の撮影情報とを併せて表示させることを特徴とする請求項１又は２に記載の撮影装置。
【請求項５】
前記余白領域に撮影情報が表示されている画像の中から１つの画像を選択する画像選択手段を備え、前記表示制御手段は、前記画像選択手段によって画像が選択されると、選択された画像を前記画像表示領域に表示させることを特徴とする請求項１、２、３又は４に記載の撮影装置。
【請求項６】
前記表示制御手段は、前記画像選択手段によって画像選択が行なわれると、該画像選択手段によって選択された画像を前記画像表示領域に表示させるとともに、スルー画像を前記余白領域に表示させることを特徴とする請求項５に記載の撮影装置。
【請求項７】
前記画像選択手段による選択解除を指示する選択解除手段を備え、前記表示制御手段は、前記選択解除手段によって選択解除が指示されると、前記画像表示領域にスルー画像を表示させることを特徴とする請求項５又は６に記載の撮影装置。
【請求項８】
前記選択解除手段は、撮影を指示するレリーズボタン又はズームを指示するズームボタンであって、前記レリーズボタンの押下又は前記ズームボタンの押下によって選択解除が指示されることを特徴とする請求項７に記載の撮影装置。
【請求項９】
撮影モードと再生モードの切り替えを指示するモード切替手段を備え、撮影モードの下、撮影指示に応じて被写体像を撮像手段で撮像し、得られた画像を記憶メディアに記録し、再生モードの下、前記記憶メディアに記録されている画像を装置本体に備えられたモニタに表示する撮影装置において、
再生モードの下、前記モニタの一部に設定された画像表示領域に前記記憶メディアに記録されている画像の１つを表示させるとともに、その余白領域に前記記憶メディアに記録されている少なくとも１つの画像の撮影情報を表示させる表示制御手段を備えたことを特徴とする撮影装置。
【請求項１０】
前記表示制御手段は、前記余白領域に前記記憶メディアに記録されている少なくとも１つの画像と、その画像の撮影情報とを併せて表示させることを特徴とする請求項９に記載の撮影装置。
【請求項１１】
前記画像表示領域に表示させる画像のアスペクト比と、前記モニタのアスペクト比とが異なり、前記画像表示領域は、そこに表示される画像が前記モニタに最も大きく表示されるように設定されることを特徴とする請求項９又は１０に記載の撮影装置。
【請求項１２】
撮影モードと再生モードの切り替えを指示するモード切替手段を備え、撮影モードの下、撮影指示に応じて被写体像を撮像手段で撮像し、得られた画像を記憶メディアの記録領域に少なくとも１つ作成されたフォルダに格納し、再生モードの下、前記フォルダに格納されている画像を装置本体に備えられたモニタに表示する撮影装置において、
再生モードの下、前記モニタの一部に設定された画像表示領域に前記記憶メディアの記録領域に作成されたフォルダの１つに格納されている画像の１つを表示させるとともに、その余白領域に前記記憶メディアに記録されているフォルダの少なくとも１つを表示させる表示制御手段と、
前記余白領域に表示されているフォルダの中から１つのフォルダを選択するフォルダ選択手段と、
を備え、前記表示制御手段は、前記フォルダ選択手段によってフォルダ選択が行なわれると、その選択されたフォルダに格納されている画像を前記画像表示領域に表示させることを特徴とする請求項１１に記載の撮影装置。
【請求項１３】
撮影指示に応じて被写体像を撮像手段で撮像し、得られた画像を記憶メディアに記録する撮影装置であって、前記撮像手段からリアルタイムに得られる画像を装置本体に備えられたモニタにスルー画像として表示可能な撮影装置において、
前記スルー画像と異なるアスペクト比に設定された前記モニタと、
前記モニタの一部に設定された画像表示領域に前記スルー画像を表示させるとともに、その余白領域に前記記憶メディアに記録されている少なくとも１つの画像を表示させる表示制御手段と、
を備えたことを特徴とする撮影装置。
【請求項１４】
前記余白領域に表示されている画像の中から１つの画像を選択する画像選択手段を備え、前記表示制御手段は、前記画像選択手段によって画像が選択されると、選択された画像を前記画像表示領域に表示させることを特徴とする請求項１３に記載の撮影装置。
【請求項１５】
前記表示制御手段は、前記画像選択手段によって画像が選択されると、該画像選択手段によって選択された画像を前記画像表示領域に表示させるとともに、スルー画像を前記余白領域に表示させることを特徴とする請求項１４に記載の撮影装置。
【請求項１６】
前記画像選択手段による選択解除を指示する選択解除手段を備え、前記表示制御手段は、前記選択解除手段によって選択解除が指示されると、前記画像表示領域にスルー画像を表示させることを特徴とする請求項１５に記載の撮影装置。
【請求項１７】
前記選択解除手段は、撮影を指示するレリーズボタン又はズームを指示するズームボタンであって、前記レリーズボタンの押下又は前記ズームボタンの押下によって選択解除が指示されることを特徴とする請求項１６に記載の撮影装置。
【発明の詳細な説明】
【技術分野】
【０００１】
本発明は撮影装置に係り、特に表示する画像のアスペクト比と異なるアスペクト比のモニタを備えた撮影装置に関する。
【背景技術】
【０００２】
一般にデジタルカメラで撮影される画像は、アスペクト比が４：３に設定されている。このため、通常、この種のデジタルカメラにはアスペクト比が４：３のモニタがカメラボディに搭載される。
【０００３】
一方、記録する画像のアスペクト比を４：３又は１６：９に切り替えられるようにしたデジタルカメラも提案されている。この種のデジタルカメラでは、アスペクト比が４：３又は１６：９のモニタがカメラボディに搭載される。
【０００４】
ところで、アスペクト比を切り替えられるようにしたデジタルカメラでは、搭載されているモニタのアスペクト比と記録する画像のアスペクト比とが異なる場合、モニタに合わせて画像を表示させることができなくなるという問題が生じる。
【０００５】
このため、このように搭載されているモニタのアスペクト比と記録する画像のアスペクト比とが異なる場合は、たとえば特許文献１等に記載されているように、画像の両端又は上下にマスク部分を付加して表示する等の工夫がなされる。
【０００６】
そして、特許文献２では、車載用のナビゲーションシステムにおいて、モニタのアスペクト比と異なるアスペクト比の画像に切り替わった場合に、マスク部分に道路交通情報や広告情報、車輌情報、誘導経路情報など情報を表示させることにより、マスク部の有効活用を図ることが提案されている。
【０００７】
しかし、特許文献２は、車載用のナビゲーションシステムに関する技術であり、マスク部に表示する情報は、道路交通情報や広告情報、車輌情報、誘導経路情報などであるため、撮影装置には有効に適用できないという欠点がある。
【０００８】
一方、特許文献３には、映像信号記録再生装置において、モニタに無表示部分が生じないように、かつ、動画及びＰＣＭ静止画の表示領域が重複しないように割り当てて、映像を表示することが提案されている。
【０００９】
また、特許文献４には、デジタルカメラにおいて、スルー画像と撮影済み画像とを同一画面内に表示させることが提案されている。
【００１０】
また、特許文献５には、２つの撮像素子で撮像した画像を１つの画面に同時に表示する場合において、撮像素子のアスペクト比と異なるアスペクト比のモニタを用いて、一方の撮像素子で撮像した画像をサイズ一杯に表示し、残りの表示部分に他方の撮像素子で撮像した画像を表示することが提案されている。
【特許文献１】特開平９−２６１５６５号公報
【特許文献２】特開２００３−４６８９３公報
【特許文献３】特開平６−１８１５６５号公報
【特許文献４】特開平１０−２４３２７３号公報
【特許文献５】特開２００２−２９１６９２公報
【発明の開示】
【発明が解決しようとする課題】
【００１１】
しかしながら、特許文献３の発明は、複数の撮影済み画像を１つの画面に重ならないように表示するようにしただけであるため、次の撮影に反映できるような有効な情報をユーザに与えられないという欠点がある。
【００１２】
また、特許文献４の発明では、スルー画像とともに撮影済み画像が１つの画面に表示されるが、表示形式が固定されているため、撮影済み画像がない場合にも、撮影済み画像の表示領域を確保しなくてはならず、画面の利用効率が悪いという欠点がある。
【００１３】
さらに、特許文献５の発明は、２つの撮像素子を有する特殊な撮影装置における表示方法であり、通常の撮影機器には、そのまま適用できないという欠点がある。
【００１４】
本発明は、このような事情に鑑みてなされたもので、ユーザに有効な情報を効率よく提供できる撮影装置を提供することを目的とする。
【課題を解決するための手段】
【００１５】
請求項１に係る発明は、前記目的を達成するために、撮影指示に応じて被写体像を撮像手段で撮像し、得られた画像を記憶メディアに記録する撮影装置であって、前記撮像手段からリアルタイムに得られる画像を装置本体に備えられたモニタにスルー画像として表示可能な撮影装置において、前記モニタの一部に設定された画像表示領域に前記スルー画像を表示させるとともに、その余白領域に前記記憶メディアに記録されている少なくとも１つの画像の撮影情報を表示させる表示制御手段と、を備えたことを特徴とする撮影装置を提供する。
【００１６】
本発明によれば、モニタの一部に設定された画像表示領域にスルー画像が表示され、その余白領域に撮影済み画像の撮影情報が表示される。これにより、スルー画像が隠蔽されることなく、すでに撮影された撮影済みの画像の撮影情報を参照しながら、次の撮影を行なうことができる。
【００１７】
また、請求項２に係る発明は、前記目的を達成するために、前記表示制御手段は、前記余白領域に前記記憶メディアに記録されている少なくとも１つの画像と、その画像の撮影情報とを併せて表示させることを特徴とする請求項１に記載の撮影装置を提供する。
【００１８】
本発明によれば、余白領域に撮影済み画像とともに、その撮影済み画像の撮影情報が表示される。これにより、スルー画像が隠蔽されることなく、撮影済み画像とその撮影情報を参照しながら、次の撮影を行なうことができる。
【００１９】
また、請求項３に係る発明は、前記目的を達成するために、前記スルー画像のアスペクト比と、前記モニタのアスペクト比とが異なり、前記画像表示領域は、前記スルー画像が前記モニタに最も大きく表示されるように設定されることを特徴とする請求項１又は２に記載の撮影装置を提供する。
【００２０】
本発明によれば、スルー画像のアスペクト比とモニタのアスペクト比とが異なり、スルー画像がモニタに最も大きく表示されるように画像表示領域が設定される。これにより、スルー画像を表示する際に生じる余白部分を有効に利用することができる。
【００２１】
また、請求項４に係る発明は、前記目的を達成するために、前記スルー画像のアスペクト比を前記モニタのアスペクト比と異なるアスペクト比に切り替えるアスペクト比切替手段を備え、前記表示制御手段は、前記アスペクト比切替手段によって、前記スルー画像のアスペクト比が、前記モニタのアスペクト比と異なるアスペクト比に切り替えられると、前記画像表示領域にスルー画像を表示させるとともに、前記余白領域に前記記憶メディアに記録されている少なくとも１つの画像の撮影情報、又は、前記記憶メディアに記録されている少なくとも１つの画像と、その画像の撮影情報とを併せて表示させることを特徴とする請求項１又は２に記載の撮影装置を提供する。
【００２２】
本発明によれば、スルー画像のアスペクト比を切り替えるアスペクト比切替手段を備えており、このアスペクト比切替手段によって、スルー画像のアスペクト比がモニタのアスペクト比と異なるアスペクト比に切り替えられると、画像表示領域にスルー画像が表示され、余白領域に撮影済み画像等が表示される。これにより、スルー画像を表示する際に生じる余白部分を有効に利用することができる。
【００２３】
また、請求項５に係る発明は、前記目的を達成するために、前記余白領域に撮影情報が表示されている画像の中から１つの画像を選択する画像選択手段を備え、前記表示制御手段は、前記画像選択手段によって画像が選択されると、選択された画像を前記画像表示領域に表示させることを特徴とする請求項１、２、３又は４に記載の撮影装置を提供する。
【００２４】
本発明によれば、画像選択手段によって、余白領域に表示されている撮影済み画像を選択すると、その選択された画像が画像表示領域に表示される。これにより、余白領域に撮影情報が表示されている画像の詳細を素早く確認することができる。
【００２５】
また、請求項６に係る発明は、前記目的を達成するために、前記表示制御手段は、前記画像選択手段によって画像選択が行なわれると、該画像選択手段によって選択された画像を前記画像表示領域に表示させるとともに、スルー画像を前記余白領域に表示させることを特徴とする請求項５に記載の撮影装置を提供する。
【００２６】
本発明によれば、画像選択手段によって、余白領域に表示されている撮影済み画像を選択すると、その選択された画像が画像表示領域に表示されるとともに、スルー画像が余白領域に表示される。これにより、余白領域に撮影情報が表示されている画像の詳細を素早く確認することができるとともに、スルー画像も同時に確認することができる。
【００２７】
また、請求項７に係る発明は、前記目的を達成するために、前記画像選択手段による選択解除を指示する選択解除手段を備え、前記表示制御手段は、前記選択解除手段によって選択解除が指示されると、前記画像表示領域にスルー画像を表示させることを特徴とする請求項５又は６に記載の撮影装置を提供する。
【００２８】
本発明によれば、選択解除手段によって選択解除を指示することにより、素早く元の状態に復帰させることができる。
【００２９】
また、請求項８に係る発明は、前記目的を達成するために、前記選択解除手段は、撮影を指示するレリーズボタン又はズームを指示するズームボタンであって、前記レリーズボタンの押下又は前記ズームボタンの押下によって選択解除が指示されることを特徴とする請求項７に記載の撮影装置を提供する。
【００３０】
本発明によれば、選択解除手段が、撮影を指示するレリーズボタン又はズームを指示するズームボタンであって、レリーズボタンの押下又はズームボタンの押下によって選択解除が指示される。これにより、ユーザの撮影意志に応じて、素早く撮影モードに移行させることができる。
【００３１】
また、請求項９に係る発明は、前記目的を達成するために、撮影モードと再生モードの切り替えを指示するモード切替手段を備え、撮影モードの下、撮影指示に応じて被写体像を撮像手段で撮像し、得られた画像を記憶メディアに記録し、再生モードの下、前記記憶メディアに記録されている画像を装置本体に備えられたモニタに表示する撮影装置において、再生モードの下、前記モニタの一部に設定された画像表示領域に前記記憶メディアに記録されている画像の１つを表示させるとともに、その余白領域に前記記憶メディアに記録されている少なくとも１つの画像の撮影情報を表示させる表示制御手段を備えたことを特徴とする撮影装置を提供する。
【００３２】
本発明によれば、再生モードの下、モニタの一部に設定された画像表示領域に撮影済み画像が表示され、その余白領域に撮影済み画像の撮影情報が表示される。これにより、画像表示領域に表示される画像が隠蔽されることなく、撮影情報を容易に把握することができる。
【００３３】
また、請求項１０に係る発明は、前記目的を達成するために、前記表示制御手段は、前記余白領域に前記記憶メディアに記録されている少なくとも１つの画像と、その画像の撮影情報とを併せて表示させることを特徴とする請求項９に記載の撮影装置を提供する。
【００３４】
本発明によれば、余白領域に撮影済み画像とともに、その撮影済み画像の撮影情報が表示される。これにより、撮影情報をより具体的に把握することができる。
【００３５】
また、請求項１１に係る発明は、前記画像表示領域に表示させる画像のアスペクト比と、前記モニタのアスペクト比とが異なり、前記画像表示領域は、そこに表示される画像が前記モニタに最も大きくに表示されるように設定されることを特徴とする請求項９又は１０に記載の撮影装置を提供する。
【００３６】
本発明によれば、画像表示領域に表示させる画像のアスペクト比と、モニタのアスペクト比とが異なり、画像表示領域に表示される画像が、モニタに最も大きくに表示されるように画像表示領域が設定される。これにより、撮影済み画像を表示する際に生じる余白部分を有効に利用することができる。
【００３７】
また、請求項１２に係る発明は、前記目的を達成するために、撮影モードと再生モードの切り替えを指示するモード切替手段を備え、撮影モードの下、撮影指示に応じて被写体像を撮像手段で撮像し、得られた画像を記憶メディアの記録領域に少なくとも１つ作成されたフォルダに格納し、再生モードの下、前記フォルダに格納されている画像を装置本体に備えられたモニタに表示する撮影装置において、再生モードの下、前記モニタの一部に設定された画像表示領域に前記記憶メディアの記録領域に作成されたフォルダの１つに格納されている画像の１つを表示させるとともに、その余白領域に前記記憶メディアに記録されているフォルダの少なくとも１つを表示させる表示制御手段と、前記余白領域に表示されているフォルダの中から１つのフォルダを選択するフォルダ選択手段と、を備え、前記表示制御手段は、前記フォルダ選択手段によってフォルダ選択が行なわれると、その選択されたフォルダに格納されている画像を前記画像表示領域に表示させることを特徴とする請求項１１に記載の撮影装置を提供する。
【００３８】
本発明によれば、再生モードの下、モニタの一部に設定された画像表示領域に撮影済み画像が表示され、その余白領域に記憶メディアの記録領域に作成されているフォルダが表示される。そして、その余白領域に表示されたフォルダをフォルダ選択手段によって選択すると、選択されたフォルダに格納されている画像が、画像表示領域に表示される。これにより、フォルダに格納されている画像を素早く確認することができる。
【００３９】
また、請求項１３に係る発明は、前記目的を達成するために、撮影指示に応じて被写体像を撮像手段で撮像し、得られた画像を記憶メディアに記録する撮影装置であって、前記撮像手段からリアルタイムに得られる画像を装置本体に備えられたモニタにスルー画像として表示可能な撮影装置において、前記スルー画像と異なるアスペクト比に設定された前記モニタと、前記モニタの一部に設定された画像表示領域に前記スルー画像を表示させるとともに、その余白領域に前記記憶メディアに記録されている少なくとも１つの画像を表示させる表示制御手段と、を備えたことを特徴とする撮影装置を提供する。
【００４０】
本発明によれば、モニタの一部に設定された画像表示領域にスルー画像が表示され、その余白領域に撮影済み画像の撮影情報が表示される。これにより、スルー画像が隠蔽されることなく、すでに撮影された撮影済みの画像を参照しながら、次の撮影を行なうことができる。
【００４１】
また、請求項１４に係る発明は、前記目的を達成するために、前記余白領域に表示されている画像の中から１つの画像を選択する画像選択手段を備え、前記表示制御手段は、前記画像選択手段によって画像が選択されると、選択された画像を前記画像表示領域に表示させることを特徴とする請求項１３に記載の撮影装置を提供する。
【００４２】
本発明によれば、画像選択手段によって、余白領域に表示されている撮影済み画像を選択すると、その選択された画像が画像表示領域に表示される。これにより、余白領域に表示されている画像の詳細を素早く確認することができる。
【００４３】
また、請求項１５に係る発明は、前記目的を達成するために、前記表示制御手段は、前記画像選択手段によって画像が選択されると、該画像選択手段によって選択された画像を前記画像表示領域に表示させるとともに、スルー画像を前記余白領域に表示させることを特徴とする請求項１４に記載の撮影装置を提供する。
【００４４】
本発明によれば、画像選択手段によって、余白領域に表示されている撮影済み画像を選択すると、その選択された画像が画像表示領域に表示されるとともに、スルー画像が余白領域に表示される。これにより、余白領域に撮影情報が表示されている画像の詳細を素早く確認することができるとともに、スルー画像も同時に確認することができる。
【００４５】
また、請求項１６に係る発明は、前記目的を達成するために、前記画像選択手段による選択解除を指示する選択解除手段を備え、前記表示制御手段は、前記選択解除手段によって選択解除が指示されると、前記画像表示領域にスルー画像を表示させることを特徴とする請求項１５に記載の撮影装置を提供する。
【００４６】
本発明によれば、選択解除手段によって選択解除を指示することにより、素早く元の状態に復帰させることができる。
【００４７】
また、請求項１７に係る発明は、前記目的を達成するために、前記選択解除手段は、撮影を指示するレリーズボタン又はズームを指示するズームボタンであって、前記レリーズボタンの押下又は前記ズームボタンの押下によって選択解除が指示されることを特徴とする請求項１６に記載の撮影装置を提供する。
【００４８】
本発明によれば、選択解除手段が、撮影を指示するレリーズボタン又はズームを指示するズームボタンであって、レリーズボタンの押下又はズームボタンの押下によって選択解除が指示される。これにより、ユーザの撮影意志に応じて、素早く撮影モードに移行させることができる。
【発明の効果】
【００４９】
本発明に係る撮影装置によれば、モニタを有効利用して、ユーザに有効な情報を効率よく提供することができる。
【発明を実施するための最良の形態】
【００５０】
以下、添付図面に従って本発明に係る撮影装置を実施するための最良の形態について説明する。
【００５１】
図１は、本発明が適用されたデジタルカメラ１０の正面斜視図である。同図に示すように、デジタルカメラ１０は横長の四角い箱状のカメラボディ１２を有しており、そのカメラボディ１２の正面には、レンズ１４、ストロボ１６、ファインダ窓１８、セルフタイマランプ２０、ＡＦ補助光ランプ２２、ストロボ調光センサ２４等が設けられている。また、カメラボディ１２の上面にはレリーズボタン２６、電源／モードスイッチ２８、モードダイヤル３０等が設けられている。
【００５２】
図２は、図１に示したデジタルカメラ１０の背面図であり、同図に示すように、カメラボディ１２の背面には、モニタ３２、ファインダ接眼部３４、ＷＩＤＥ／ＳＴＤ切替スイッチ３６、フォトモードボタン３８、ズームボタン４０、コマンドダイヤル４２、十字ボタン４４、ＭＥＮＵ／ＯＫボタン４６、ＤＩＳＰボタン４８、ＢＡＣＫボタン５０等が設けられている。
【００５３】
なお、図示しないカメラボディ１２の下面には、開閉自在なカバーを介してバッテリ挿入部及びメモリカードスロットが設けられており、このバッテリ挿入部とメモリカードスロットにバッテリとメモリカードが装填される。
【００５４】
レンズ１４は、沈胴式のズームレンズで構成されており、電源／モードスイッチ２８によってカメラのモードを撮影モードに設定することにより、カメラボディ１２から繰り出される。
【００５５】
レリーズボタン２６は、いわゆる「半押し」と「全押し」とからなる２段ストローク式のスイッチで構成されている。デジタルカメラ１０は、このレリーズボタン２６が「半押し」されることにより、ＡＥ／ＡＦが作動し、「全押し」されることにより、撮影を実行する。
【００５６】
電源／モードスイッチ２８は、デジタルカメラ１０の電源をＯＮ／ＯＦＦする電源スイッチとしての機能と、デジタルカメラ１０のモードを設定するモードスイッチとしての機能とを併せ持っており、「ＯＦＦ位置」と「再生位置」と「撮影位置」との間をスライド自在に設けられている。デジタルカメラ１０は、電源／モードスイッチ２８をスライドさせて、「再生位置」又は「撮影位置」に合わせることにより、電源がＯＮになり、「ＯＦＦ位置」に合わせることにより、電源がＯＦＦになる。そして、電源／モードスイッチ２８をスライドさせて、「再生位置」に合わせることにより、「再生モード」に設定され、「撮影位置」に合わせることにより、「撮影モード」に設定される。
【００５７】
モードダイヤル３０は、デジタルカメラ１０の撮影モードを設定する撮影モード設定手段として機能し、このモードダイヤルの設定位置により、デジタルカメラ１０の撮影モードが「オート撮影モード」、「動画撮影モード」、「人物撮影モード」、「スポーツ撮影モード」、「風景撮影モード」、「夜景撮影モード」、「プログラム撮影モード」、「絞り優先撮影モード」、「シャッタースピード優先撮影モード」、「マニュアル撮影モード」等に設定される。
【００５８】
モニタ３２は、カラー表示が可能なアスペクト比１６：９のワイド液晶ディスプレイで構成されている。このモニタ３２は、再生モード時に撮影済み画像を表示するための画像表示パネルとして利用されるとともに、各種設定操作を行なう際のユーザインターフェース表示パネルとして利用される。また、撮影モード時には、必要に応じてスルー画像が表示されて、画角確認用の電子ファインダとして利用される。
【００５９】
ＷＩＤＥ／ＳＴＤ切替スイッチ３６は、撮影する画像のアスペクト比の切り替えを指示するアスペクト比切替手段として機能する。このＷＩＤＥ／ＳＴＤ切替スイッチ３６は、「ＷＩＤＥ位置」と「ＳＴＤ位置」との間をスライド自在に設けられている。デジタルカメラ１０は、このＷＩＤＥ／ＳＴＤ切替スイッチ３６を「ＷＩＤＥ位置」に合わせることにより、撮影する画像のアスペクト比が１６：９に設定され、「ＳＴＤ位置」に合わせることにより、撮影する画像のアスペクト比が４：３に設定される。
【００６０】
フォトモードボタン３８は、撮影モード時にピクセル設定や感度設定等の設定画面をモニタ３２に呼び出すボタンとして機能するとともに、再生モード時にプリント予約の画面をモニタ３２に呼び出すボタンとして機能する。
【００６１】
ズームボタン４０は、ズームを指示するズーム指示手段として機能し、望遠側へのズームを指示するズームテレボタン４０Ｔと、広角側へのズームを指示するズームワイドボタン４０Ｗとからなる。デジタルカメラ１０は、撮影モード時に、このズームテレボタン４０Ｔとズームワイドボタン４０Ｗとが操作されることにより、レンズ１４の焦点距離が変化する。また、再生モード時に、このズームテレボタン４０Ｔとズームワイドボタン４０Ｗとが操作されることにより、再生中の画像が拡大、縮小する。
【００６２】
コマンドダイヤル４２は、回転自在に設けられており、その回転操作量に応じて、各モード下において、各種設定値等を変化させる。たとえば、シャッター速度優先撮影モード時に、このコマンドダイヤル４２を回転させることにより、シャッター速度が段階的に変化し、絞り優先撮影モード時に、このコマンドダイヤル４２を回転させることにより、絞り値が段階的に変化する。また、再生モード時に、このコマンドダイヤルを回転させることにより、その回転量及び回転方向に応じて画像がコマ送りされる。
【００６３】
十字ボタン４４は、上下左右４方向の指示を入力する方向指示手段として機能し、たとえば、メニュー画面でメニュー項目の選択などに使用される。
【００６４】
ＭＥＮＵ／ＯＫボタン４６は、各モードの通常画面からメニュー画面への遷移を指示するＭＥＮＵボタンとしての機能と、選択内容の確定、処理の実行等を指示するＯＫボタンとしての機能を併せ持っている。
【００６５】
ＤＩＳＰボタン４８は、モニタ３２の表示内容の切り替え指示するボタンとして機能し、ＢＡＣＫボタン５０は、入力操作のキャンセル等を指示するボタンとして機能する。
【００６６】
図３は、デジタルカメラ内部の概略構成を示すブロック図である。
【００６７】
デジタルカメラ１０は、全体の動作を中央処理装置（ＣＰＵ）１１０によって統括制御されている。ＣＰＵ１１０は、操作部１１２（レリーズボタン２６、電源／モードスイッチ２８、モードダイヤル３０、ＷＩＤＥ／ＳＴＤ切替スイッチ３６、フォトモードボタン３８、ズームボタン４０、コマンドダイヤル４２、十字ボタン４４、ＭＥＮＵ／ＯＫボタン４６、ＤＩＳＰボタン４８、ＢＡＣＫボタン５０等）から入力される操作信号に基き所定の制御プログラムに従ってデジタルカメラ１０の全体を統括制御する。
【００６８】
バス１１４を介してＣＰＵ１１０と接続されたＲＯＭ１１６には、このＣＰＵ１１０が実行する制御プログラム及び制御に必要な各種データ等が格納されており、ＥＥＰＲＯＭ１１８には、ユーザ設定情報等のデジタルカメラ１０の動作に関する各種設定情報等が格納されている。
【００６９】
また、メモリ（ＳＤＲＡＭ）１２０は、ＣＰＵ１１０の演算作業用領域として利用されるとともに、画像データ等の一時記憶領域として利用され、ＶＲＡＭ１２２は、画像データ専用の一時記憶領域として利用される。
【００７０】
上記のように、デジタルカメラ１０は、電源／モードスイッチ２８を撮影位置に合わせることで、撮影モードに設定され、撮影が可能になる。そして、撮影モードに設定されることにより、レンズ１４が繰り出され、撮影スタンバイ状態になる。
【００７１】
この撮影モードの下、レンズ１４を通過した被写体光は、絞り１５を介して固体撮像素子１２４の受光面に結像される。
【００７２】
固体撮像素子１２４は、ＣＣＤで構成されており、その受光面には、所定の配列構造（ベイヤー、Ｇストライプなど）で配列された赤（Ｒ）、緑（Ｇ）、青（Ｂ）のカラーフィルタを介して多数のフォトダイオード（受光素子）が二次元的に配置されている。レンズ１４を通過した被写体光は、各フォトダイオードによって受光され、入射光量に応じた量の信号電荷に変換される。
【００７３】
各フォトダイオードに蓄積された信号電荷は、タイミングジェネレータ（ＴＧ）１２６から与えられる駆動パルスに基づいて信号電荷に応じた電圧信号（画像信号）として順次読み出され、アナログ処理部（ＣＤＳ／ＡＭＰ）１２８に加えられる。
【００７４】
アナログ処理部１２８は、入力された画素ごとのＲ、Ｇ、Ｂ信号をサンプリングホールド（相関二重サンプリング処理）するとともに、増幅し、Ａ／Ｄ変換器１３０に出力する。Ａ／Ｄ変換器１３０は、アナログ処理部１２８から出力されたアナログのＲ、Ｇ、Ｂ信号をデジタルのＲ、Ｇ、Ｂ信号に変換して出力し、このＡ／Ｄ変換器１３０から出力されたデジタルのＲ、Ｇ、Ｂ信号が、画像入力コントローラ１３２を介してメモリ１２０に取り込まれる。
【００７５】
画像信号処理回路１３４は、メモリ１２０に取り込まれたＲ、Ｇ、Ｂ信号をＣＰＵ１１０の指令に従って処理し、輝度信号（Ｙ信号）及び色差信号（Ｃr 、Ｃb 信号）を生成する。すなわち、この画像信号処理回路１３４は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ１１０からの指令に従ってメモリ１２０を活用しながら入力されたＲ、Ｇ、Ｂ信号を信号処理することにより、輝度信号及び色差信号（輝度／色差信号）を生成する。
【００７６】
この際、画像信号処理回路１３４は、ＷＩＤＥ／ＳＴＤ切替スイッチ３６にて、アスペクト比が１６：９に設定されている場合（ＷＩＤＥ時）は、アスペクト比が１６：９の輝度／色差信号を生成し、アスペクト比が４：３に設定されている場合（ＳＴＤ時）は、アスペクト比が４：３の輝度／色差信号を生成する。生成された輝度／色差信号は、ＶＲＡＭ１２２に格納される。
【００７７】
撮影画像をモニタ３２に出力する場合は、生成された輝度／色差信号が、ＶＲＡＭ１２２からビデオエンコーダ１３６に送られる。ビデオエンコーダ１３６は、入力された輝度／色差信号を表示用の信号形式（たとえば、ＮＴＳＣ方式のカラー複合映像信号）に変換し、モニタ３２に出力する。これにより、ＣＣＤ１２４で撮像した画像がモニタ３２に表示される。
【００７８】
ＣＣＤ１２４から画像信号を定期的に取り込み、その画像信号から生成される輝度／色差信号によってＶＲＡＭ１２２内の画像データを定期的に書き換え、モニタ３２に出力することにより、ＣＣＤ１２４で撮像される画像がリアルタイムに表示される。撮影者は、このモニタ３２にリアルタイムに表示される画像（スルー画像）を見ることにより、撮影画角を確認することができる。
【００７９】
なお、ＶＲＡＭ１２２からビデオエンコーダ１３６に加えられる輝度／色差信号は、必要に応じて画像合成回路１３８に加えられ、所定の文字や図形、撮影済み画像等と合成されたのち、ビデオエンコーダ１３６に加えられる。これにより、スルー画像とともに所定の文字や図形、撮影済み画像等が所定のレイアウトでモニタ３２に表示される。なお、この表示方法については、のちに詳述する。
【００８０】
撮影は、レリーズボタン２６の押下により行なわれ、まず、レリーズボタン２６が半押しされると、Ｓ１オン信号がＣＰＵ１１０に入力され、ＣＰＵ１１０はＡＥ／ＡＦ処理を実施する。
【００８１】
まず、画像入力コントローラ１３２を介してＣＣＤ１２４から取り込まれた画像信号がＡＦ検出回路１４０並びにＡＥ／ＡＷＢ検出回路１４２に入力される。
【００８２】
ＡＥ／ＡＷＢ検出回路１４２は、１画面を複数のエリア（例えば、１６×１６）に分割し、分割エリアごとにＲ、Ｇ、Ｂ信号を積算する回路を含み、その積算値をＣＰＵ１１０に提供する。ＣＰＵ１１０は、ＡＥ／ＡＷＢ検出回路１４２から得た積算値に基づいて被写体の明るさ（被写体輝度）を検出し、撮影に適した露出値（撮影ＥＶ値）を算出する。そして、求めた撮影ＥＶ値と所定のプログラム線図から絞り値とシャッタースピードを決定し、これに従いＣＣＤ１２４の電子シャッターと絞り駆動部１４４を制御して適正な露光量を得る。
【００８３】
また、ＡＥ／ＡＷＢ検出回路１４２は、自動ホワイトバランス調整時、分割エリアごとにＲ、Ｇ、Ｂ信号の色別の平均積算値を算出し、その算出結果をＣＰＵ１１０に提供する。ＣＰＵ１１０は、得られたＲの積算値、Ｂの積算値、Ｇの積算値から各分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば、各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を制御し、各色チャンネルの信号に補正をかける。
【００８４】
ＡＦ検出回路１４０は、Ｇ信号の高周波成分のみを通過させるハイパスフィルタ、絶対値化処理部、所定のフォーカスエリア（たとえば、画面中央部）内の信号を切り出すＡＦエリア抽出部及びＡＦエリア内の絶対値データを積算する積算部から構成され、ＡＦ検出回路１４０で求めた積算値のデータはＣＰＵ１１０に通知される。ＣＰＵ１１０は、レンズ駆動部１４６を制御してレンズ１４のフォーカスレンズ群を移動させながら、複数のＡＦ検出ポイントで焦点評価値（ＡＦ評価値）を演算し、評価値が極大となるレンズ位置を合焦位置として決定する。そして、求めた合焦位置にフォーカスレンズ群が移動するように、レンズ駆動部１４６を制御する。
【００８５】
以上のように、レリーズボタン２６の半押しに応動して、ＡＥ／ＡＦ処理が行なわれる。
【００８６】
なお、撮影者は、必要に応じてズームボタン４０を操作し、レンズ１４をズーミングさせて画角を調整する。ここで、ズームテレボタン４０Ｔが押されると、ＣＰＵ１１０にズームテレ信号が入力され、ＣＰＵ１１０は、これに応動してレンズ駆動部１４６を制御して、レンズ１４のズームレンズ群をテレ側に移動させる。また、ズームワイドボタン４０Ｗが押されると、ＣＰＵ１１０にズームワイド信号が入力され、ＣＰＵ１１０は、これに応動してレンズ駆動部１４６を制御して、レンズ１４のズームレンズ群をワイド側に移動させる。
【００８７】
この後、レリーズボタン２６が全押しされると、ＣＰＵ１１０にＳ２オン信号が入力され、ＣＰＵ１１０は、撮影、記録処理を開始する。すなわち、Ｓ２オン信号に応動して取得された画像データが、画像信号処理回路１３４において輝度／色差信号に変換されたのち、メモリ１２０に格納される。
【００８８】
メモリ１２０に格納された画像データは、圧縮伸張回路１４８に加えられ、所定の圧縮フォーマット（ここでは、ＪＰＥＧ形式）に従って圧縮された後、再度メモリ１２０に格納される。そして、所定の画像記録フォーマット（ここでは、Ｅｘｉｆ形式）の画像ファイルとされたのち、メディアコントローラ１５０を介して記憶メディア１５２に記録される。
【００８９】
この際、画像ファイルは、所定のファイル名が付与されて、記憶メディア１５２の記録領域に形成された所定のフォルダに格納される。ファイル名には、たとえば、アルファベット４文字と４桁のコマ番号（撮影順に付与される画像の番号）とを組み合わせたファイル名が付与される。
【００９０】
なお、ここでは、「ＤＳＣＦ」というアルファベット４文字と、４桁のコマ番号とを組み合わせたファイル名「ＤＳＣＦ××××」というファイル名が付与されるものとする。この場合、たとえば、一番最初に撮影された画像の画像ファイルには、「ＤＳＣＦ０００１］というファイル名が付与され、２番目に撮影された画像の画像ファイルには、「ＤＳＣＦ０００２」というファイル名が付与される。
【００９１】
以上のようにして記憶メディア１５２に記録された画像は、電源／モードスイッチ２８を再生位置に合わせて、デジタルカメラ１０のモードを再生モードに設定することにより、モニタ３２で再生表示させることができる。
【００９２】
電源／モードスイッチ２８を再生位置に合わせて、デジタルカメラ１０のモードを再生モードに設定すると、ＣＰＵ１１０は、メディアコントローラ１５０にコマンドを出力し、記憶メディア１５２に最後に記録された画像ファイルを読み出させる。
【００９３】
読み出された画像ファイルの圧縮画像データは、圧縮伸張回路１４８に加えられ、非圧縮の輝度／色差信号に伸張されたのち、ビデオエンコーダ１３６を介してモニタ３２に出力される。これにより、記憶メディア１５２に記録されている画像がモニタ３２に再生表示される。
【００９４】
なお、再生時も必要に応じて再生する画像の輝度／色差信号が、画像合成回路１３８に加えられ、所定の文字や図形、撮影済み画像等と合成されたのち、ビデオエンコーダ１３６に加えられる。これにより、撮影済み画像とともに所定の文字や図形、他の撮影済み画像等が所定のレイアウトでモニタ３２に表示される。なお、この表示方法についても、のちに詳述する。
【００９５】
画像のコマ送りは、コマンドダイヤル４２の回転操作で行なわれ、コマンドダイヤル４２が、右方向に回されると、次の画像ファイルが記憶メディア１５２から読み出され、モニタ３２に再生表示される。また、コマンドダイヤル４２が左方向に回されると、一つ前の画像ファイルが記憶メディア１５２から読み出され、モニタ３２に再生表示される。
【００９６】
さて、上述したように、本実施の形態のデジタルカメラ１０では、撮影中、ＣＣＤ１２４からリアルタイムに得られる画像をスルー画像としてモニタ３２に表示させることができ、このモニタ３２のスルー画像を見ることによって、撮影画角やピント状態を確認することができるようにされている。このモニタ３２の表示は、ユーザがＤＩＳＰボタン４８を押すことにより、種々の形式に切り替えられ、ユーザの好みに応じた表示形式のものを選択して表示させることができるようにされている。以下、この撮影中におけるモニタ３２の表示について説明する。
【００９７】
図４は、モニタ３２の表示切り替えの一例が示されている。図４（ａ）は、モニタ３２の表示がＯＦＦにされているときの状態を示している。この表示状態から、ユーザがＤＩＳＰボタン４８を押すと、ＣＰＵ１１０に操作信号が出力され、図４（ｂ）に示すように、モニタ３２にスルー画像が表示される。
【００９８】
なお、同図は撮影画像のアスペクト比が４：３に設定されている場合の表示例を示している。この場合、スルー画像は、両サイドにマスク部が付された状態でモニタ３２の画面中央に縦方向のサイズ一杯に表示される。すなわち、スルー画像のアスペクト比とモニタ３２のアスペクト比とが異なっているので、スルー画像がモニタ３２に最も大きく表示されるように、スルー画像の高さとモニタ３２の高さとが合わされて、モニタ３２の画面中央にスルー画像が表示される。
【００９９】
図４（ｂ）に示す表示状態から更にＤＩＳＰボタン４８が押されると、図４（ｃ）に示すように、スルー画像に重ねて撮影情報が表示される。ここでは、スルー画像の画面右上に画像サイズ（６Ｍ）と撮影可能枚数（５０）が重ねて表示され、画面左下にシャッター速度（１／５５０）と絞り値（Ｆ５．０）が表示している。
【０１００】
図４（ｃ）に示す表示状態から更にＤＩＳＰボタン４８が押されると、図４（ｄ）に示すように、スルー画像が画面左端にシフトして表示されるとともに、そのスルー画像の表示領域（画像表示領域）の右側に形成された余白領域に撮影済み画像の撮影情報が縦列表示される。この余白領域に表示される撮影情報は、最近撮影された６コマ分の画像の撮影情報が表示され、記憶メディア１５２への記録が新しい順（コマ番号の逆順）に上から並べられて表示される。そして、この余白領域に表示される撮影情報には、コマ番号、撮影日、画像サイズ、画質、シャッター速度、絞り値、ＩＳＯ感度等の撮影済み画像が有する撮影に関する情報が表示される。
【０１０１】
また、図４（ｄ）に示すように、余白領域には、その余白領域に表示される撮影情報の１つを選択する選択フレームＦが表示される。この選択フレームＦは、余白領域に表示された撮影情報の１つを囲うようにして表示され、十字ボタン４４の上キー又は下キーの操作で移動される。そして、この選択フレームＦを最下位の撮影情報のところまで移動させ、更に十字ボタン４４の下キーを押すと、撮影情報が上にスクロールする。すなわち、最上位に表示されていた撮影情報が消えるとともに、１つずつ撮影情報が情報にズレ、最下位に新たな撮影情報が追加される。また、この選択フレームＦを最上位の撮影情報のところまで移動させ、更に十字ボタン４４の上キーを押すと、撮影情報が下にスクロールする。すなわち、最下位に表示されていた撮影情報が消えるとともに、撮影情報が１つずつ下にズレ、新たな撮影情報が最上位に追加される。
【０１０２】
また、任意の撮影情報を選択フレームＦで選択し、ＭＥＮＵ／ＯＫボタン４６を押すと、図５（ａ）に示すように、スルー画像が表示されていた画像表示領域に選択した撮影情報の画像が拡大表示される。これにより、撮影済み画像を簡易に確認することができる。
【０１０３】
なお、この場合、選択された撮影情報の画像を画像表示領域に表示させるとともに、スルー画像を余白領域に表示させるようにしてもよい。これにより、スルー画像も同時に確認することができる。
【０１０４】
余白領域にスルー画像を表示させる場合は、たとえば、図５（ｂ）に示すように、余白領域の最上位の位置のスルー画像を表示し、その下に他の撮影済み画像の撮影情報を縦列表示させる。
【０１０５】
また、図５（ｃ）に示すように、スルー画像と、そのスルー画像の撮影情報のみを余白領域に表示させる。
【０１０６】
あるいは、図５（ｄ）に示すように、スルー画像と、そのスルー画像の撮影情報を表示させるとともに、その下側に撮影済み画像の撮影情報を縦列表示させる。
【０１０７】
なお、上記のように、画像表示領域に撮影済み画像を表示させた状態で十字ボタン４４の上キー又は下キーが操作されると、余白領域に表示されている撮影済み画像及び／又は撮影情報がスクロールするとともに、画像表示領域に表示されている撮影済み画像がコマ送り又はコマ戻しされる。
【０１０８】
元の表示に戻す場合、すなわち、図４（ｄ）に示すように、画像表示領域にスルー画像を表示させ、余白領域に撮影情報を縦列表示させる場合は、ＢＡＣＫボタン５０を押す。これにより、図４（ｄ）に示すように、画像表示領域にスルー画像が表示され、余白領域に撮影情報が縦列表示される。
【０１０９】
なお、レリーズボタン２６の押下（半押し）、あるいはズームボタン４０の押下によって、元の表示に戻すようにしてもよい。これにより、撮影意志を反映して、素早く撮影スタンバイ状態に復帰させることができる。
【０１１０】
図４（ｄ）に示す表示状態から更にＤＩＳＰボタン４８が押されると、図４（ｅ）に示すように、余白領域に撮影済み画像と、その撮影情報が縦列表示される。この余白領域に表示される撮影済み画像とその撮影情報は、最近撮影された２コマ分の画像の撮影情報が表示され、記憶メディア１５２への記録が新しい順（コマ番号の逆順）に上から並べられて表示される。
【０１１１】
また、上記図４（ｃ）の場合と前記同様に余白領域には、その余白領域に表示される撮影済み画像の一方を選択する選択フレームＦが表示される。この選択フレームＦは、余白領域に表示された撮影済み画像と、その撮影情報を囲うようにして表示され、十字ボタン４４の上キー又は下キーの操作で移動される。そして、この選択フレームＦを下段の撮影済み画像に移動させ、更に十字ボタン４４の下キーを押すと、撮影済み画像とその撮影情報が上にスクロールする。すなわち、上段に表示されていた撮影済み画像とその撮影情報が消えるとともに、下段に表示されていた撮影済み画像とその撮影情報が上段にズレ、新たな撮影済み画像とその撮影情報が下段に表示される。また、この選択フレームＦを上段の撮影済み画像に移動させ、更に十字ボタン４４の上キーを押すと、撮影済み画像とその撮影情報が下にスクロールする。すなわち、下段に表示されていた撮影済み画像とその撮影情報が消えるとともに、上段に表示されていた撮影済み画像とその撮影情報が下段にズレ、新たな撮影済み画像とその撮影情報が上段に表示される。
【０１１２】
また、任意の撮影済み画像及びその撮影情報を選択フレームＦで選択し、ＭＥＮＵ／ＯＫボタン４６を押すと、図６（ａ）に示すように、スルー画像が表示されていた画像表示領域に選択した撮影済み画像が拡大表示されるとともに、選択した撮影済み画像が表示されていた領域にスルー画像と、そのスルー画像の撮影情報が表示される。すなわち、スルー画像と選択した撮影済み画像が入れ替えられて表示される。
【０１１３】
なお、この場合、図６（ｂ）に示すように、余白領域にスルー画像と、そのスルー画像の撮影情報のみを表示させるようにしてもよい。
【０１１４】
また、上記のように、画像表示領域に撮影済み画像を表示させた状態で十字ボタン４４の上キー又は下キーが操作されると、余白領域に表示されている撮影済み画像及び／又は撮影情報がスクロールするとともに、画像表示領域に表示されている撮影済み画像がコマ送り又はコマ戻しされる。
【０１１５】
元の表示に戻す場合は、上記同様にＢＡＣＫボタン５０を押す。これにより、図４（ｅ）に示すように、画像表示領域にスルー画像が表示され、余白領域に撮影済み画像と、その撮影情報が縦列表示される。なお、この場合もレリーズボタン２６の押下（半押し）、あるいはズームボタン４０の押下によって、元の表示に戻すようにしてもよい。
【０１１６】
図４（ｅ）に示す表示状態から更にＤＩＳＰボタン４８が押されると、図４（ｆ）に示すように、余白領域に撮影済み画像が縦列表示される。この余白領域に表示される撮影済み画像は、最近撮影された３コマ分の撮影済み画像が表示され、記憶メディア１５２への記録が新しい順（コマ番号の逆順）に上から並べられて表示される。
【０１１７】
また、上記図４（ｃ）及び（ｄ）の場合と前記同様に余白領域には、その余白領域に表示される撮影済み画像の１つを選択する選択フレームＦが表示される。この選択フレームＦは、余白領域に表示された撮影済み画像を囲うようにして表示され、十字ボタン４４の上キー又は下キーの操作で移動される。そして、この選択フレームＦを最下段の撮影済み画像に移動させ、更に十字ボタン４４の下キーを押すと、撮影済み画像が上にスクロールする。すなわち、最上段に表示されていた撮影済み画像が消え、その下に表示されていた撮影済み画像が１つずつ上にズレるとともに、新たな撮影済み画像が最下段に表示される。また、この選択フレームＦを最上段の撮影済み画像に移動させ、更に十字ボタン４４の上キーを押すと、撮影済み画像が下にスクロールする。すなわち、最下段に表示されていた撮影済み画像が消え、その上に表示されていた撮影済み画像が１つずつ下にずれるとともに、新たな撮影済み画像が最上段に表示される。
【０１１８】
また、任意の撮影済み画像を選択フレームＦで選択し、ＭＥＮＵ／ＯＫボタン４６を押すと、図７（ａ）に示すように、スルー画像が表示されていた画像表示領域に選択した撮影済み画像が拡大表示されるとともに、選択した撮影済み画像が表示されていた領域にスルー画像が表示される。すなわち、スルー画像と選択した撮影済み画像が入れ替えられて表示される。
【０１１９】
なお、この場合、図７（ｂ）に示すように、余白領域にスルー画像のみを表示させるようにしてもよい。
【０１２０】
また、図７（ｃ）に示すように、余白領域にスルー画像と、そのスルー画像の撮影情報のみを表示させるようにしてもよい。
【０１２１】
さらに、図７（ｄ）に示すように、余白領域にスルー画像と、そのスルー画像の撮影情報を表示させるとともに、その下に撮影済み画像を表示させるようにしてもよい。
【０１２２】
なお、上記のように、画像表示領域に撮影済み画像を表示させた状態で十字ボタン４４の上キー又は下キーが操作されると、余白領域に表示されている撮影済み画像及び／又は撮影情報がスクロールするとともに、画像表示領域に表示されている撮影済み画像がコマ送り又はコマ戻しされる。
【０１２３】
元の表示に戻す場合は、上記同様にＢＡＣＫボタン５０を押す。これにより、図４（ｆ）に示すように、画像表示領域にスルー画像が表示され、余白領域に撮影済み画像が縦列表示される。なお、この場合もレリーズボタン２６の押下（半押し）、あるいはズームボタン４０の押下によって、元の表示に戻すようにしてもよい。
【０１２４】
図４（ｆ）に示す表示状態から更にＤＩＳＰボタン４８が押されると、図４（ａ）に示すように、モニタ３２の表示がＯＦＦになる。
【０１２５】
以後、ＤＩＳＰボタン４８が押されるたびに、上記図４（ａ）〜図４（ｆ）の表示が順に切り替えられる。
【０１２６】
このように、本実施の形態のデジタルカメラ１０は、撮影中、スルー画像とともに、撮影済み画像、撮影済み画像の撮影情報を表示中のスルー画像を隠蔽することなく表示させることができる。
【０１２７】
また、簡易に撮影済み画像を拡大表示させることができ、過去に撮影した撮影情報を容易に把握することができる。
【０１２８】
また、拡大表示させた撮影済み画像は、簡易にスルー画像に切り替えることができるので、シャッターチャンスを逃すことなく、瞬時に撮影に対処することができる。
【０１２９】
なお、図４（ｅ）及び（ｆ）に示すように、撮影済み画像にアスペクト比１６：９で撮影された画像が含まれる場合、そのアスペクト比１６：９の画像には、上下にマスク部を付し、アスペクト比４：３の画像の横幅と合わせて余白領域に表示する。
【０１３０】
上記一連の表示形態は、撮影画像のアスペクト比が４：３に設定されている場合であるが、アスペクト比が１６：９に設定されている場合は、次のように処理される。
【０１３１】
図８は、撮影画像のアスペクト比が１６：９に設定されている場合におけるモニタ３２の表示切り替えの一例が示されている。
【０１３２】
図８（ａ）は、モニタ３２の表示がＯＦＦにされているときの状態を示している。この表示状態から、ユーザがＤＩＳＰボタン４８を押すと、ＣＰＵ１１０にコマンドが出力され、図８（ｂ）に示すように、モニタ３２にスルー画像が表示される。この場合、スルー画像とモニタ３２のアスペクト比が一致しているので、スルー画像は、モニタ３２のサイズ一杯に表示される。
【０１３３】
図８（ｂ）に示す表示状態から更にＤＩＳＰボタン４８が押されると、図８（ｃ）に示すように、スルー画像に重ねて撮影情報が表示される。
【０１３４】
図８（ｃ）に示す表示状態から更にＤＩＳＰボタン４８が押されると、図８（ｄ）に示すように、スルー画像が縮小して画面左端にシフトして表示されるとともに、そのスルー画像の表示領域（画像表示領域）の右側に形成された余白領域に撮影済み画像の撮影情報が縦列表示される。
【０１３５】
なお、画像表示領域は、上述したアスペクト比４：３のスルー画像を表示した時と同じ大きさに設定され、スルー画像は、上下にマスク部が付された状態で横方向のサイズ一杯に表示される。すなわち、画像表示領域の幅とスルー画像の幅とを合わせて、画像表示領域の中央に表示される。
【０１３６】
図８（ｄ）に示す表示状態から更にＤＩＳＰボタン４８が押されると、図８（ｅ）に示すように、余白領域に撮影済み画像と、その撮影情報が縦列表示され、更にＤＩＳＰボタン４８が押されると、図８（ｆ）に示すように、余白領域に撮影済み画像が縦列表示される。そして、図８（ｆ）に示す表示状態から更にＤＩＳＰボタン４８が押されると、図８（ａ）に示すように、モニタ３２の表示がＯＦＦになる。
【０１３７】
以後、ＤＩＳＰボタン４８押されるたびに、上記図８（ａ）〜図８（ｆ）の表示が順に切り替えられる。
【０１３８】
このように、撮影画像のアスペクト比が１６：９に設定されている場合、スルー画像のみをモニタ３２に表示させると、スルー画像はモニタ３２のサイズ一杯に表示される（図８（ｂ）〜（ｃ）参照）。そして、撮影済み画像の撮影情報等を表示させる場合には、アスペクト比４：３で設定された画像表示領域に上下にマスク部を付されて縮小表示され、その余白領域に撮影済み画像の撮影情報等が表示される（図８（ｄ）〜（ｆ）参照）。
【０１３９】
なお、図８（ｅ）及び（ｆ）に示すように、撮影済み画像にアスペクト比１６：９で撮影された画像が含まれる場合、そのアスペクト比１６：９の画像には、上下にマスク部を付し、アスペクト比４：３の画像の横幅と合わせて余白領域に表示する。
【０１４０】
また、アスペクト比４：３で形成された画像表示領域にアスペクト比１６：９のスルー画像を表示させると、図８（ｄ）〜（ｆ）に示すように、スルー画像の上下にマスク部が表示されるが、このマスク部を有効利用すべく、図９に示すように、スルー画像を表示させるようにしてもよい。すなわち、アスペクト比４：３で形成された画像表示領域の情報にシフトさせてアスペクト比１６：９のスルー画像を表示させ、その下側に形成される余白領域にスルー画像の撮影情報を表示させる。
【０１４１】
これにより、アスペクト比４：３で形成された画像表示領域の情報にアスペクト比１６：９のスルー画像を表示させる際に生じる非表示領域を有効活用して、撮影者に有効な情報を付与することができる。
【０１４２】
また、上記の例では、撮影済み画像の撮影情報等を表示させる際、スルー画像をモニタ３２の画面左隅にシフトして表示させているが、図１０に示すように、画面右隅にシフトして表示させてもよい。
【０１４３】
また、上記の例では、ＤＩＳＰボタン４８が押されるとモニタ３２の表示が切り替わるようにされているが、ユーザの設定に応じて、モニタ３２の表示形式を自動で切り替えるようにしてもよい。以下、このモニタ３２の表示の自動切替の方法について説明する。
【０１４４】
図１１は、撮影画像のアスペクト比が４：３に設定されている場合におけるモニタ３２の表示切り替えの手順を示すフローチャートである。
【０１４５】
撮影モードにされると、まず、ＣＰＵ１１０は、あらかじめユーザが選択しておいたモニタ３２の表示形式の情報を読み出す（ステップＳ１０）。
【０１４６】
なお、ここではモニタ３２の表示形式として、上述した図４（ｂ）〜（ｆ）の中の１つをユーザが選択できるものとし、そのユーザが選択した表示形式の情報が読み出される。選択したモニタ３２の表示形式の情報は、たとえばＥＥＰＲＯＭ１１８に記録されるものとし、ＣＰＵ１１０は、このＥＥＰＲＯＭ１１８に記録されているモニタ３２の設定情報を読み出す。
【０１４７】
次に、ＣＰＵ１１０は、読み出したモニタ３２の設定情報から、余白領域の設定の有無を判断する（ステップＳ１１）。
【０１４８】
ここで、余白領域の設定がされていなければ、スルー画像を読み出し、モニタ３２の中央にスルー画像を表示させる（ステップＳ１２）。
【０１４９】
一方、余白領域の設定がある場合は、ステップＳ１３に進み、必要な撮影済み画像と、その撮影情報を記憶メディア１５２から読み出す（ステップＳ１３）。そして、読み出した撮影済み画像と、その撮影情報を選択した表示形式に従ってモニタ３２の余白領域に表示させる（ステップＳ１４）。
【０１５０】
次に、ＣＰＵ１１０は、スルー画像を読み込み（ステップＳ１５）、画像表示領域に表示させる（ステップＳ１６）。
【０１５１】
これにより、図１２（ａ）に示すように、スルー画像とともに、撮影済み画像と、その撮影情報等が、あらかじめ選択した表示形式に従ってモニタ３２に表示される（図４（ｅ）の表示形式が選択されている場合）。
【０１５２】
この表示中、ＣＰＵ１１０は、ユーザによる撮影意志の有無を判断し（ステップＳ１７）、ユーザの撮影意志があれば、あらかじめ選択された撮影用の表示形式にモニタ３２の表示を切り替える（ステップＳ１８）。
【０１５３】
ここで、撮影意志の判断は、たとえば、レリーズボタン２６の半押しやズームボタン４０の押下により行い、これらの操作があった場合は、撮影意志アリと判断する。
【０１５４】
また、撮影用の表示形式としては、たとえば、図１２（ｂ）に示すように、モニタ３２にスルー画像のみを表示させる。あるいは、図１２（ｃ）に示すように、余白領域にスルー画像の撮影情報を表示させる。
【０１５５】
この後、ＣＰＵ１１０は、撮影が実施されたか否かを判断し（ステップＳ１９）、撮影が実施された場合は、ステップＳ１２に戻り、モニタ３２の表示を更新する。すなわち、新たに撮影された画像を余白領域に表示させるとともに、その撮影情報を表示させる。
【０１５６】
このように、ユーザの設定に応じて自動でモニタ３２の表示を切り替えることにより、更に操作性が向上する。
【０１５７】
図１３は、撮影画像のアスペクト比が１６：９に設定されている場合におけるモニタ３２の表示切り替えの手順を示すフローチャートである。
【０１５８】
アスペクト比が４：３に設定されているときと同様にカメラのモードが撮影モードにされると、まず、ＣＰＵ１１０は、あらかじめユーザが選択しておいたモニタ３２の表示形式の情報を読み出す（ステップＳ２０）。
【０１５９】
なお、ここではモニタ３２の表示形式として、上述した図８（ｂ）〜（ｆ）の中の１つをユーザが選択できるものとする。
【０１６０】
次に、ＣＰＵ１１０は、読み出したモニタ３２の設定情報から、余白領域の設定の有無を判断する（ステップＳ２１）。
【０１６１】
ここで、余白領域の設定がされていなければ、スルー画像を読み出し、モニタ３２に全画面表示させる（ステップＳ２２）。
【０１６２】
一方、余白領域の設定がある場合は、ステップＳ２３に進み、必要な撮影済み画像と、その撮影情報を記憶メディア１５２から読み出す（ステップＳ２３）。そして、読み出した撮影済み画像と、その撮影情報を選択した表示形式に従ってモニタ３２の余白領域に表示させる（ステップＳ２４）。
【０１６３】
次に、ＣＰＵ１１０は、スルー画像を読み込み（ステップＳ２５）、画像表示領域に表示させる（ステップＳ２６）。
【０１６４】
これにより、図１４（ａ）に示すように、スルー画像とともに、撮影済み画像と、その撮影情報等が、あらかじめ選択した表示形式に従ってモニタ３２に表示される（図８（ｅ）の表示形式が選択されている場合）。
【０１６５】
この表示中、ＣＰＵ１１０は、ユーザによる撮影意志の有無を判断し（ステップＳ２７）、ユーザの撮影意志があれば、あらかじめ選択された撮影用の表示形式にモニタ３２の表示を切り替える（ステップＳ２８）。
【０１６６】
ここで、撮影意志の判断は、たとえば、レリーズボタン２６の半押しやズームボタン４０の押下により行い、これらの操作があった場合は、撮影意志アリと判断する。
【０１６７】
また、撮影用の表示形式としては、たとえば、図１４（ｂ）に示すように、モニタ３２にスルー画像を全画面表示させる。あるいは、図１４（ｃ）に示すように、余白領域にスルー画像の撮影情報を表示させる。
【０１６８】
この後、ＣＰＵ１１０は、撮影が実施されたか否かを判断し（ステップＳ２９）、撮影が実施された場合は、ステップＳ２３に戻り、モニタ３２の表示を更新する。すなわち、新たに撮影された画像を余白領域に表示させるとともに、その撮影情報を表示させる。
【０１６９】
このように、ユーザの設定に応じて自動でモニタ３２の表示を切り替えることにより、撮影中の操作性が更に向上する。
【０１７０】
次に、再生モード時におけるモニタ３２の表示について説明する。
【０１７１】
なお、ここでは、まず、アスペクト比が４：３で撮影された画像を再生表示する場合の例について説明する。
【０１７２】
モニタ３２の表示は、ＤＩＳＰボタン４８を押すことにより切り替えられる。図１５は、アスペクト比が４：３で撮影された画像のモニタ３２の表示例を示している。
【０１７３】
図１５（ａ）は、モニタ３２の初期表示状態を示している。同図に示すように、デジタルカメラ１０のモードが再生モードに設定されると、記録メディア１５２に一番最後に記録された画像が読み出され、モニタ３２の画面中央に表示される。すなわち、両サイドにマスク部が付された状態でモニタ３２の画面中央に縦方向のサイズ一杯に表示される。この際、簡単な撮影情報（コマ番号と撮影日時等）を画像に重ねて表示させるようにしてもよい。
【０１７４】
なお、この状態で十字ボタン４４の右キーが押されると、画像が１コマ送りされ、左キーが押されると、画像が１コマ戻しされる。
【０１７５】
図１５（ａ）に示す表示状態からＤＩＳＰボタン４８が押されると、図１５（ｂ）に示すように、撮影済み画像が、画面左端にシフトして表示されるとともに、その撮影済み画像の撮影情報が、撮影済み画像の表示領域（画像表示領域）の右側に形成された余白領域に表示される。この余白領域に表示される撮影情報は、撮影済み画像のコマ番号、撮影日、画像サイズ、画質、シャッター速度、絞り値、ＩＳＯ感度等の情報が表示される。
【０１７６】
前記同様、この状態で十字ボタン４４の右キーが押されると、画像が１コマ送りされ、左キーが押されると、画像が１コマ戻しされる。
【０１７７】
図１５（ｂ）に示す表示状態から更にＤＩＳＰボタン４８が押されると、図１５（ｃ）に示すように、余白領域に撮影済み画像の撮影情報が縦列表示される。この撮影情報は、現在、画像表示領域に表示されている撮影済み画像の撮影情報を含め６コマ分の画像の撮影情報がコマ番号順に縦列表示される。
【０１７８】
図１５（ｃ）に示す例では、最上段に現在画像表示領域に表示されている撮影済み画像の撮影情報が表示され、その下に次の５コマ分の撮影済み画像の撮影情報がコマ番号順に縦列表示されている。
【０１７９】
また、図１５（ｃ）に示すように、余白領域には、縦列表示された撮影情報の１つを選択する選択フレームＦが表示される。この選択フレームＦは、余白領域に表示された撮影情報の１つを囲うようにして表示され、十字ボタン４４の上キー又は下キーの操作で移動される。そして、この選択フレームＦを最下位の撮影情報のところまで移動させ、更に十字ボタン４４の下キーを押すと、撮影情報が上にスクロールする。すなわち、最上位に表示されていた撮影情報が消えるとともに、１つずつ撮影情報が上にズレ、最下位に新たな撮影情報が追加される。また、この選択フレームＦを最上位の撮影情報のところまで移動させ、更に十字ボタン４４の上キーを押すと、撮影情報が下にスクロールする。すなわち、最下位に表示されていた撮影情報が消えるとともに、撮影情報が１つずつ下にズレ、新たな撮影情報が最上位に追加される。
【０１８０】
また、任意の撮影情報を選択フレームＦで選択し、ＭＥＮＵ／ＯＫボタン４６を押すと、その選択した撮影情報の撮影済み画像が、画像表示領域に拡大表示される。これにより、複数ある撮影済み画像を簡単に検索して、確認することができる。
【０１８１】
また、前記同様、この状態で十字ボタン４４の右キーが押されると、画像が１コマ送りされ、左キーが押されると、画像が１コマ戻しされる。
【０１８２】
なお、画像がコマ送り又はコマ戻しされた場合、余白領域に表示される撮影情報もこれに伴ってスクロールされる。
【０１８３】
図１５（ｃ）に示す表示状態から更にＤＩＳＰボタン４８が押されると、図１５（ｄ）に示すように、余白領域に撮影済み画像と、その撮影情報が縦列表示される。この余白領域に表示される撮影済み画像とその撮影情報は、次の２コマ分の撮影済み画像と、その撮影情報がコマ番号順に表示される。
【０１８４】
また、上記図１５（ｃ）の場合と前記同様に余白領域には、その余白領域に表示される撮影済み画像の一方を選択する選択フレームＦが表示される。この選択フレームＦは、余白領域に表示された撮影済み画像と、その撮影情報を囲うようにして表示され、十字ボタン４４の上キー又は下キーの操作で移動される。そして、この選択フレームＦを下段の撮影済み画像に移動させ、更に十字ボタン４４の下キーを押すと、撮影済み画像とその撮影情報が上にスクロールする。すなわち、上段に表示されていた撮影済み画像とその撮影情報が消えるとともに、下段に表示されていた撮影済み画像とその撮影情報が上段にズレ、新たな撮影済み画像とその撮影情報が下段に表示される。また、この選択フレームＦを上段の撮影済み画像に移動させ、更に十字ボタン４４の上キーを押すと、撮影済み画像とその撮影情報が下にスクロールする。すなわち、下段に表示されていた撮影済み画像とその撮影情報が消えるとともに、上段に表示されていた撮影済み画像とその撮影情報が下段にズレ、新たな撮影済み画像とその撮影情報が上段に表示される。
【０１８５】
また、任意の撮影済み画像及びその撮影情報を選択フレームＦで選択し、ＭＥＮＵ／ＯＫボタン４６を押すと、その選択した撮影済み画像が画像表示領域に拡大表示される。この場合、余白領域には、その選択した撮影済み画像の次の２コマ分の撮影済み画像と、その撮影情報が表示され、選択フレームＦは、次のコマの撮影済み画像と、その撮影情報を囲うように表示される。
【０１８６】
また、前記同様、この状態で十字ボタン４４の右キーが押されると、画像が１コマ送りされ、左キーが押されると、画像が１コマ戻しされる。
【０１８７】
なお、画像がコマ送り又はコマ戻しされた場合、余白領域に表示される撮影情報等もこれに伴ってスクロールされる。
【０１８８】
図１５（ｄ）に示す表示状態から更にＤＩＳＰボタン４８が押されると、図１５（ｅ）に示すように、余白領域に撮影済み画像が縦列表示される。この余白領域に表示される撮影済み画像は、次の３コマ分の撮影済み画像がコマ番号順に縦列表示される。
【０１８９】
また、上記図１５（ｂ）及び（ｃ）の場合と前記同様に余白領域には、その余白領域に表示される撮影済み画像の１つを選択する選択フレームＦが表示される。この選択フレームＦは、余白領域に表示された撮影済み画像を囲うようにして表示され、十字ボタン４４の上キー又は下キーの操作で移動される。そして、この選択フレームＦを最下段の撮影済み画像に移動させ、更に十字ボタン４４の下キーを押すと、撮影済み画像が上にスクロールする。すなわち、最上段に表示されていた撮影済み画像が消え、その下に表示されていた撮影済み画像が１つずつ上にズレるとともに、新たな撮影済み画像が最下段に表示される。また、この選択フレームＦを最上段の撮影済み画像に移動させ、更に十字ボタン４４の上キーを押すと、撮影済み画像が下にスクロールする。すなわち、最下段に表示されていた撮影済み画像が消え、その上に表示されていた撮影済み画像が１つずつ下にずれるとともに、新たな撮影済み画像が最上段に表示される。
【０１９０】
また、任意の撮影済み画像を選択フレームＦで選択し、ＭＥＮＵ／ＯＫボタン４６を押すと、その選択された撮影済み画像が画像表示領域に拡大表示される。この場合、余白領域には、その選択した撮影済み画像の次の３コマ分の撮影済み画像が表示され、選択フレームＦは、次のコマの撮影済み画像を囲うように表示される。
【０１９１】
また、前記同様、この状態で十字ボタン４４の右キーが押されると、画像が１コマ送りされ、左キーが押されると、画像が１コマ戻しされる。
【０１９２】
なお、画像がコマ送り又はコマ戻しされた場合、余白領域に表示される画像もこれに伴ってスクロールされる。
【０１９３】
以後、ＤＩＳＰボタン４８が押されるたびに、上記図１５（ａ）〜図１５（ｅ）の表示が順に切り替えられる。  
【０１９４】
なお、図１５（ｄ）及び（ｅ）に示すように、撮影済み画像にアスペクト比１６：９で撮影された画像が含まれる場合、そのアスペクト比１６：９の画像には、上下にマスク部を付し、アスペクト比４：３の画像の横幅と合わせて余白領域に表示する。アスペクト比が４：３の撮影済み画像を再生表示する場合も同様である。
【０１９５】
このように、本実施の形態のデジタルカメラ１０は、撮影済み画像を隠蔽することなく、その撮影済み画像の撮影情報、及び、他の撮影済み画像等を表示させることができる。これにより、所望の画像を簡易かつ迅速に探し出すことができる。
【０１９６】
次に、アスペクト比が１６：９で撮影されている画像を再生表示する場合について説明する。
【０１９７】
図１６は、アスペクト比が１６：９で撮影された画像のモニタ３２の表示例を示している。
【０１９８】
図１６（ａ）は、モニタ３２の初期表示状態を示している。アスペクト比が１６：９で撮影された画像は、モニタ３２のアスペクト比と一致しているので、モニタ３２のサイズ一杯に表示される。この際、簡単な撮影情報（コマ番号と撮影日時等）を画像に重ねて表示させるようにしてもよい。
【０１９９】
また、この状態で十字ボタン４４の右キーが押されると、画像が１コマ送りされ、左キーが押されると、画像が１コマ戻しされる。
【０２００】
図１６（ａ）に示す表示状態からＤＩＳＰボタン４８が押されると、図１６（ｂ）に示すように、撮影済み画像が縮小して画面左端にシフトして表示されるとともに、その撮影済み画像の表示領域（画像表示領域）の右側に形成された余白領域に撮影済み画像の撮影情報が縦列表示される。この撮影情報は、現在、画像表示領域に表示されている撮影済み画像の撮影情報を含め６コマ分の画像の撮影情報がコマ番号順に縦列表示される。
【０２０１】
なお、画像表示領域は、上述したアスペクト比４：３の撮影済み画像を表示した時と同じ大きさに設定され、スルー画像は、上下にマスク部が付された状態で横方向のサイズ一杯に表示される。すなわち、画像表示領域の幅とスルー画像の幅とを合わせて、画像表示領域の中央に表示される。
【０２０２】
また、前記同様、この状態で十字ボタン４４の右キーが押されると、画像が１コマ送りされ、左キーが押されると、画像が１コマ戻しされる。
【０２０３】
なお、画像がコマ送り又はコマ戻しされた場合、余白領域に表示される撮影情報もこれに伴ってスクロールされる。
【０２０４】
図１６（ｂ）に示す表示状態からＤＩＳＰボタン４８が押されると、図１６（ｃ）に示すように、画像表示領域に表示されている撮影済み画像が画面上方にシフトして表示されるとともに、その下方位置に現在画像表示領域に表示されている撮影済み画像の詳細な撮影情報が表示される。
【０２０５】
また、前記同様、この状態で十字ボタン４４の右キーが押されると、画像が１コマ送りされ、左キーが押されると、画像が１コマ戻しされる。
【０２０６】
なお、画像がコマ送り又はコマ戻しされた場合、余白領域に表示される撮影情報等もこれに伴ってスクロールされる。
【０２０７】
図１６（ｃ）に示す表示状態から更にＤＩＳＰボタン４８が押されると、図１６（ｄ）に示すように、余白領域に撮影済み画像と、その撮影情報が縦列表示され、更にＤＩＳＰボタン４８が押されると、図１６（ｅ）に示すように、余白領域に撮影済み画像が縦列表示される。
【０２０８】
また、前記同様、図１６（ｄ）、図１６（ｅ）に示す状態で十字ボタン４４の右キーが押されると、画像が１コマ送りされ、左キーが押されると、画像が１コマ戻しされる。
【０２０９】
なお、画像がコマ送り又はコマ戻しされた場合、余白領域に表示される画像もこれに伴ってスクロールされる。
【０２１０】
以後、ＤＩＳＰボタン４８が押されるたびに、上記図１６（ａ）〜図１６（ｅ）の表示が順に切り替えられる。  
【０２１１】
なお、図１６（ｄ）及び（ｅ）に示すように、撮影済み画像にアスペクト比１６：９で撮影された画像が含まれる場合、そのアスペクト比１６：９の画像には、上下にマスク部を付し、アスペクト比４：３の画像の横幅と合わせて余白領域に表示する。アスペクト比が４：３の撮影済み画像を再生表示する場合も同様である。
【０２１２】
このように、本実施の形態のデジタルカメラ１０は、再生モード時においても、主とする撮影済み画像を隠蔽することなく、撮影情報や他の撮影済み画像等を表示させることができる。
【０２１３】
なお、上記の例ではＤＩＳＰボタン４８が押されるとモニタ３２の表示が切り替わるようにされているが、上述した撮影モード時のときと同じように、ユーザの設定に応じて、モニタ３２の表示形式を自動で切り替えるようにしてもよい。すなわち、ユーザが希望する表示形式をあらかじめ登録しておき、再生モード時は、その登録された表示形式を読み出して、自動的に設定された表示形式で撮影済み画像が表示されるようにしてもよい。
【０２１４】
また、上記の一連の実施の形態では、画面の余白領域に撮影済み画像等を表示させているが、余白領域に表示させる情報は、これらに限定されるものではなく、たとえば、記憶メディア１５２の記録領域に形成されているフォルダの情報を表示させてもよい。以下、この余白領域に記憶メディア１５２の記録領域に形成されているフォルダの情報を表示する場合の表示例について説明する。
【０２１５】
なお、ここではアスペクト比が４：３で撮影された画像を再生表示する場合を例に説明する。
【０２１６】
図１７は、アスペクト比が４：３で撮影された画像の表示例を示している。図１７（ａ）は、通常の再生表示状態を示している。すなわち、アスペクト比４：３の画像が、両サイドにマスク部が付された状態でモニタ３２の画面中央に縦方向のサイズ一杯に表示される。
【０２１７】
図１７（ａ）に示す表示状態から、フォルダ情報表示の機能を呼び出すと、図１７（ｂ）に示すように、撮影済み画像が、画面左端にシフトして表示されるとともに、その撮影済み画像の表示領域（画像表示領域）の右側に形成された余白領域に、現在、記憶メディア１５２の記録領域に作成されているフォルダのフォルダアイコンが縦列表示される。
【０２１８】
ここでは、記憶メディア１５２の記憶領域に「Folder１」、「Folder２」、「Folder３」、「Folder４」というフォルダ名の４つのフォルダが形成されているものとし、これら４つのフォルダのフォルダアイコンが余白領域に縦列表示される。
【０２１９】
また、図１７（ｂ）に示すように、余白領域には、その余白領域に表示されたフォルダアイコンの１つを選択する選択フレームＦが表示される。この選択フレームＦはフォルダアイコンの１つを囲うようにして表示され、十字ボタン４４の上キー又は下キーの操作で移動される。
【０２２０】
なお、フォルダアイコンは、たとえば余白領域に５つまで表示できるものとし、それ以上のフォルダが記憶メディア１５２に作成されている場合は、作成順に上位５つのフォルダのフォルダアイコンが余白領域に表示される。この場合、十字ボタン４４の上キー又は下キーの操作でフォルダがスクロールされるものとする。
【０２２１】
また、フォルダ情報表示の機能は、たとえば、再生メニューから呼び出すものとする。この場合、たとえば、図１７（ａ）に示す表示状態から、ＭＥＮＵ／ＯＫボタン４６が押されると、再生メニューが呼び出され、その再生メニューのメニュー項目の中から「フォルダ情報表示」の項目を選択すると、フォルダ情報表示の機能が呼び出されるようにする。
【０２２２】
また、上述したＤＩＳＰボタン４８の押下による表示切り替えの１つとして、フォルダ情報の表示を登録しておいてもよい。すなわち、たとえば、図１５（ｅ）に示す表示状態から更にＤＩＳＰボタン４８が押されると、図１７（ｂ）に示す表示状態に切り替わるようにする。
【０２２３】
余白領域に表示された任意のフォルダアイコンの１つを選択フレームＦで選択後、ＭＥＮＵ／ＯＫボタン４６が押されると、図１７（ｃ）に示すように、選択したフォルダに格納されている撮影済み画像のサムネイル画像がモニタ３２に一覧表示される。
【０２２４】
なお、図１７（ｃ）に示す例では、４×５コマ分のサムネイル画像がモニタ３２に一覧表示されているが、表示するコマ数は、これに限定されるものではなく、たとえば、４コマ分のサムネイル画像を一覧表示させるようにしてもよい。また、ズームボタン４０の操作によって、表示させるサムネイル画像の大きさを拡大縮小できるようにしてもよい。
【０２２５】
また、表示可能なコマ数以上の撮影済み画像が、選択したフォルダに格納されている場合には、十字ボタン４４の右キー又は左キーの操作でスクロールできるものとする。
【０２２６】
また、図１７（ｃ）に示すように、モニタ３２には、一覧表示されたサムネイル画像の１つを選択する選択フレームＦが表示される。この選択フレームＦは、モニタ３２に表示された１つのサムネイル画像を囲うようにして表示され、十字ボタン４４の操作で移動される。
【０２２７】
そして、この選択フレームＦで任意のサムネイル画像を選択したのち、ＭＥＮＵ／ＯＫボタン４６を押すと、図１７（ｄ）に示すように、選択したサムネイル画像の撮影済み画像がモニタ３２の中央に拡大表示される。すなわち、通常の表示形式に復帰する。
【０２２８】
このように、モニタ３２に撮影済み画像とともに、フォルダ情報を表示させることにより、各フォルダに格納されている撮影済み画像を簡易かつ迅速に確認することができるようになり、画像管理が容易になる。
【０２２９】
なお、このようにフォルダ情報表示機能を備えた場合、デジタルカメラは、撮影した画像の記録時に、その格納先のフォルダを指定できるようにすることが好ましい。また、各フォルダに任意のフォルダ名を付与できるようにすることが好ましい。
【０２３０】
また、上記の例では、画像再生時にフォルダ情報を表示する場合を例に説明したが、撮影中にもフォルダ情報を表示できるようにしてもよい。この場合、たとえば、図１７（ｄ）に示す表示形式において、撮影済み画像が表示されている画像表示領域にスルー画像を表示させる。
【０２３１】
さらに、上記の例では、アスペクト比が４：３の画像を再生表示する場合を例に説明したが、アスペクト比が１６：９の画像を再生表示する場合は、アスペクト比４：３の画像を再生表示させていた画像表示領域にアスペクト比１６：９の画像を再生表示させる。すなわち、図１７（ｄ）に示す表示形式において、４：３の撮影済み画像が表示されている画像表示領域に上下にマスク部を付加してアスペクト比１６：９の撮影済み画像を幅方向のサイズ一杯に表示させる。
【０２３２】
また、上述した一連の実施の形態では、デジタルカメラ１０にアスペクト比１６：９のモニタ３２が備えられている場合を例に説明したが、デジタルカメラ１０に備えるモニタ３２のアスペクト比は、これに限定されるものではない。図１８、図１９は、デジタルカメラにアスペクト比４：３のモニタ３２が備えられている場合の表示例への適用例を示しており、図１８は、１６：９の画像を表示する場合、図１９は、４：３の画像を表示する場合を示している。
【０２３３】
図１８に示すように、アスペクト比が４：３のモニタ３２にアスペクト比１６：９の画像（スルー画像又は撮影済み画像）を表示する場合、モニタ３２の横幅に合わせて画像をサイズ一杯に表示させるとともに、上方（下方でもよい）にシフトさせて表示する。そして、その画像を表示させた画像表示領域の下側に形成される余白領域に撮影済み画像の撮影情報（同図（ａ））や、撮影済み画像とその撮影情報（同図（ｂ））、撮影済み画像（同図（ｃ））、フォルダアイコン（同図（ｄ））を表示させる。
【０２３４】
一方、図１９に示すように、アスペクト比が４：３のモニタ３２にアスペクト比４：３の画像（スルー画像又は撮影済み画像）を表示する場合は、アスペクト比が１６：９の画像を表示させていた画像表示領域にアスペクト比が４：３の画像を高さ方向のサイズ一杯に表示させる。そして、その画像表示領域の下側に形成される余白領域に撮影済み画像の撮影情報（同図（ａ））や、撮影済み画像とその撮影情報（同図（ｂ））、撮影済み画像（同図（ｃ））、フォルダアイコン（同図（ｄ））を表示させる。
【０２３５】
なお、アスペクト比が１６：９の画像を表示させていた画像表示領域にアスペクト比が４：３の画像を表示させる場合には、左右に生じるマスク部を有効活用するために、画像を右端又は左端にシフトさせて表示し、その余白領域に撮影情報等を表示させることが好ましい。
【０２３６】
また、上述した一連の実施の形態では、本発明を静止画の表示を例に説明したが、動画を表示させる場合も同様の方法で表示させることができる。
【０２３７】
また、上述した一連の実施の形態では、本発明をデジタルカメラに適用した場合を例に説明したが、本発明の適用はデジタルカメラに限らず、デジタルビデオカメラやカメラ付き携帯電話機やカメラ付きＰＤＡ、カメラ付きパーソナルコンピュータ等の撮影機能を備えた電子機器（撮影装置）全般に適用することができる。
【図面の簡単な説明】
【０２３８】
【図１】本発明が適用されたデジタルカメラの正面斜視図
【図２】本発明が適用されたデジタルカメラの背面図
【図３】デジタルカメラ内部の概略構成を示すブロック図
【図４】撮影画像のアスペクト比が４：３に設定されている場合のモニタの表示例を示す図
【図５】撮影画像のアスペクト比が４：３に設定されている場合のモニタの表示例を示す図
【図６】撮影画像のアスペクト比が４：３に設定されている場合のモニタの表示例を示す図
【図７】撮影画像のアスペクト比が４：３に設定されている場合のモニタの表示例を示す図
【図８】撮影画像のアスペクト比が１６：９に設定されている場合のモニタの表示例を示す図
【図９】撮影画像のアスペクト比が１６：９に設定されている場合のモニタの表示例を示す図
【図１０】撮影画像のアスペクト比が１６：９に設定されている場合のモニタの表示例を示す図
【図１１】撮影画像のアスペクト比が４：３に設定されている場合におけるモニタの自動表示切り替えの手順を示すフローチャート
【図１２】撮影画像のアスペクト比が４：３に設定されている場合のモニタの表示例を示す図
【図１３】撮影画像のアスペクト比が１６：９に設定されている場合におけるモニタの自動表示切り替えの手順を示すフローチャート
【図１４】撮影画像のアスペクト比が１６：９に設定されている場合のモニタの表示例を示す図
【図１５】撮影済み画像のアスペクト比が４：３に設定されている場合のモニタの表示例を示す図
【図１６】撮影済み画像のアスペクト比が１６：９に設定されている場合のモニタの表示例を示す図
【図１７】フォルダ情報を表示する場合のモニタの表示例を示す図
【図１８】アスペクト比が４：３のモニタにアスペクト比が１６：９の画像を表示する場合の表示例を示す図
【図１９】アスペクト比が４：３のモニタにアスペクト比が４：３の画像を表示する場合の表示例を示す図
【符号の説明】
【０２３９】
１０…デジタルカメラ、１２…カメラボディ、１４…レンズ、１６…ストロボ、１８…ファインダ窓、２０…セルフタイマランプ、２２…ＡＦ補助光ランプ、２４…ストロボ調光センサ、２６…レリーズボタン、２８…電源／モードスイッチ、３０…モードダイヤル、３２…モニタ、３４…ファインダ接眼部、３６…ＷＩＤＥ／ＳＴＤ切替スイッチ、３８…フォトモードボタン、４０…ズームボタン、４２…コマンドダイヤル、４４…十字ボタン、４６…ＭＥＮＵ／ＯＫボタン、４８…ＤＩＳＰボタン、５０…ＢＡＣＫボタン、１１０…ＣＰＵ、１１２…操作部、１１４…バス、１１６…ＲＯＭ、１１８…ＥＥＰＲＯＭ、１２０…メモリ（ＳＤＲＡＭ）、１２２…ＶＲＡＭ、１２４…固体撮像素子（ＣＣＤ）、１２６…タイミングジェネレータ（ＴＧ）、１２８…アナログ処理部（ＣＤＳ／ＡＭＰ）、１３０…Ａ／Ｄ変換器、１３２…画像入力コントローラ、１３４…画像信号処理回路、１３６…ビデオエンコーダ、１３８…画像合成回路、１４０…ＡＦ検出回路、１４２…ＡＥ／ＡＷＢ検出回路、１４４…絞り駆動部、１４６…レンズ駆動部、１４８…圧縮伸張回路、１５０…メディアコントローラ、１５２…記憶メディア
【図１】
2005260798.tif 000003
【図２】
2005260798.tif 000004
【図３】
2005260798.tif 000005
【図４】
2005260798.tif 000006
【図５】
2005260798.tif 000007
【図６】
2005260798.tif 000008
【図７】
2005260798.tif 000009
【図８】
2005260798.tif 000010
【図９】
2005260798.tif 000011
【図１０】
2005260798.tif 000012
【図１１】
2005260798.tif 000013
【図１２】
2005260798.tif 000014
【図１３】
2005260798.tif 000015
【図１４】
2005260798.tif 000016
【図１５】
2005260798.tif 000017
【図１６】
2005260798.tif 000018
【図１７】
2005260798.tif 000019
【図１８】
2005260798.tif 000020
【図１９】
2005260798.tif 000021